(57)【要約】      （修正有）【課題】羽根車を内包することで接触による不安感をなくしつつ、香料がモータに直接接触することを防ぐことによりモータの劣化を抑制可能な送風装置を提供する。【解決手段】送風装置１１は、筐体１２に空気を取り入れる吸込口１５と、高圧空気を発生するための高圧空気発生手段１８と、高圧空気を吹出すための環形状の吹出口１９と、羽根車１６から吹出口１９に導く第一風路２０と、吹出口１９から吹出す空気に誘引されて空気を吸込む複数の誘引空気吸込口２１と、複数の誘引空気吸込口２１に吸込まれた空気を混合する誘引空気混合部２２と、誘引された空気を吹出す誘引空気吹出口２３と、誘引空気吸込口２１と誘引空気混合部２２と誘引空気吹出口２３を連通する第二風路２４で構成され、誘引空気混合部２２に香料保持手段３０を備える。【選択図】図２
2018105166.tif 000002
【特許請求の範囲】
【請求項１】
筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む誘引空気吸込口と、誘引された空気を吹出す誘引空気吹出口と、前記誘引空気吸込口と前記誘引空気吹出口を連通する第二風路を備えた送風装置であって、前記第二風路内に香料保持手段を備えたことを特徴とする送風装置。
【請求項２】
前記誘引空気吸込口を複数備え、複数の前記誘引空気吸込口に吸込まれた空気を混合する誘引空気混合部を前記第二風路内に形成し、前記誘引空気混合部に香料保持手段を備えたことを特徴とする請求項１に記載の送風装置。
【請求項３】
複数の前記誘引空気吸込口が前記吹出口の中心を通る軸から放射状に配置するように備えられたことを特徴とする請求項２に記載の送風装置。
【請求項４】
前記吸込口は、前記吹出口の中心を通る軸に係るように備えられたことを特徴とする請求項２または３いずれかに記載の送風装置。
【請求項５】
前記筐体は、筐体外側の外壁と筐体内側の内壁とを備え、前記第一風路は、前記外壁と前記内壁とによって前記筐体内に形成され、前記第二風路は、前記内壁によって前記筐体外に形成され、前記第一風路と前記第二風路とは、交差するように形成されていることを特徴とする請求項２乃至４いずれかに記載の送風装置。
【発明の詳細な説明】
【技術分野】
【０００１】
本発明は、居室内の天井や壁、床面に設置され、直接気流による体感温度の減少や室内の空気の循環に使用される扇風機や天井扇などの送風装置に関するものである。
【背景技術】
【０００２】
従来、この種の送風装置は、羽根車とモータを台座となる基部に内包して、基部上部に備えられた円環形状の送風部から床面と水平方向に吹出すようにて空気の循環及び空気の流れを生じさせる家庭用送風装置が知られている（例えば、特許文献１参照）。
【０００３】
以下、その送風装置について図４および図５を参照しながら説明する。図４は、送風機組立体１００をその正面から見た投影図を、図５は、送風機組立体１００の断面投影図を示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされているモータ１２２は、電気接続部及び電源に接続され、複数個の選択ボタン１２０により、ユーザは、送風機組立体１００を操作することができる。
【０００４】
上記構成で、上述した送風機組立体１００は、以下のように動作する。ユーザが複数個の選択ボタン１２０の中から適当に選択してモータ１２２が駆動される。かくして、モータ１２２が起動され、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。空気流は、これが口１１２に入る際に絞られ、そして口１１２の出口１４４のところで更に絞られる。この絞りにより、システム中に圧力が生じる。
【０００５】
このように作られた空気流は、絞りにより生じる圧力によって、空気流は、一次空気流として出口１４４を通って出る。一次空気流は、ガイド部分１４８の配置により、ユーザに向かって集中し又は集束して向けられる。二次空気流は、外部環境、特に出口１４４周りの領域及び環状ノズル１０１の外縁部周りからの空気の誘引によって生じる。この二次空気流は、中央開口部１０２を通り、ここで、一次空気流と混ざり合って送風機組立体１００から前方に放出される全空気流が生じる。
【先行技術文献】
【特許文献】
【０００６】
【特許文献１】特開２０１０−０７７９６９号公報
【発明の概要】
【発明が解決しようとする課題】
【０００７】
このような従来の送風装置では、香料を送風により拡散させようとした場合、香料を空気入口に設けると香料がモータに直接接触するためモータが劣化するという課題があった。
【０００８】
そこで本発明は、上記従来の課題を解決するものであり、羽根車を筐体内に内包することでユーザーが羽根と接触することを防止しつつ、香料がモータに直接接触することを防ぐことによりモータの劣化を抑制可能な送風装置を提供することを目的とする。
【課題を解決するための手段】
【０００９】
そして、この目的を達成するために、本発明は、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む誘引空気吸込口と、誘引された空気を吹出す誘引空気吹出口と、前記誘引空気吸込口と前記誘引空気吹出口を連通する第二風路を備えた送風装置であって、前記第二風路内に香料保持手段を備えたことを特徴とする送風装置としたものであり、これにより所期の目的を達成するものである。
【発明の効果】
【００１０】
本発明によれば、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む誘引空気吸込口と、誘引された空気を吹出す誘引空気吹出口と、前記誘引空気吸込口と前記誘引空気吹出口を連通する第二風路を備えた送風装置であって、前記第二風路内に香料保持手段を備えたことを特徴としたことにより、羽根車を内包することで接触による不安感をなくしつつ、香料がモータに直接接触することを防ぐことによりモータの劣化を抑制可能とすることができる。
【図面の簡単な説明】
【００１１】
【図１】本発明の実施の形態１の送風装置の斜視図
【図２】本発明の実施の形態１の送風装置の断面を示す構成図
【図３】本発明の実施の形態１の送風装置の香料保持手段の分解状態を示す斜視図
【図４】従来技術の一例を示す正面図
【図５】従来技術の一例を示す断面を示す構成図
【発明を実施するための形態】
【００１２】
以下、本発明の実施の形態を図面に基づいて説明する。ただし、以下に示す実施の形態は、本発明の技術思想を具体化するための送風装置を例示するものであって、本発明は送風装置を以下のものに特定しない。また、特許請求の範囲に示される部材を、実施例に記載する部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。また、本発明を構成する各要素は、複数の要素を同一の部材で構成して一の部材で複数の要素を兼用する態様としてもよいし、逆に一の部材の機能を複数の部材で分担して実現することもできる。なお、一部の実施例、実施形態において説明された内容は、他の実施例、実施形態等に利用可能なものもある。
【００１３】
本発明の請求項１記載の送風装置は、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を羽根車から吹出口に導く第一風路と、吹出口から吹出す空気に誘引されて空気を吸込む誘引空気吸込口と、誘引された空気を吹出す誘引空気吹出口と、誘引空気吸込口と誘引空気吹出口を連通する第二風路を備えた送風装置であって、第二風路内に香料保持手段を備えたことを特徴とするものである。ここで、高圧空気とは大気圧以上の空気を示すものとする。
【００１４】
これにより、香料保持手段と直接接する空気は第二風路によって誘引された空気であるため、香料保持手段と直接接する空気は高圧空気発生手段を備えた第一風路内部を通過せず吹出される。この構成によって、香料に用いられる有機化合物と高圧空気発生手段である羽根車やモータとが直接接触することによって生じる、羽根車やモータ等の潤滑油に有機化合物が混合することによる潤滑性能の低下を防止することができる。つまり、羽根車を内包することで接触による不安感をなくしつつ、香料がモータに直接接触することを防ぐことによりモータの劣化を抑制することができ、長期間安定して送風装置を使用することができるものである。
【００１５】
また、誘引空気により香料保持手段から香りが気化により放出することで風の当たらない離れた場所からでも香りの有無、強弱により送風装置の運転／停止を容易に判別することができる。
【００１６】
また、誘引空気吸込口を複数備え、複数の誘引空気吸込口に吸込まれた空気を混合する誘引空気混合部を第二風路内に形成し、誘引空気混合部に香料保持手段を備えたことを特徴とするものである。
【００１７】
これにより、香料保持手段と直接接する空気は第二風路によって誘引された空気であるため、香料保持手段と直接接する空気は高圧空気発生手段を備えた第一風路内部を通過せず吹出される。この構成によって、香料に用いられる有機化合物と高圧空気発生手段である羽根車やモータとが直接接触することによって生じる、羽根車やモータ等の潤滑油に有機化合物が混合することによる潤滑性能の低下を防止することができる。つまり、羽根車を筐体内に内包することでユーザーが羽根と接触よることを防止しつつ、香料がモータに直接接触することを防ぐことによりモータの劣化を抑制することができ、長期間安定して送風装置を使用することができるものである。また、誘引空気により香料保持手段から香りが気化により放出することで風の当たらない離れた場所からでも香りの有無、強弱により送風装置の運転／停止を容易に判別することができる。
【００１８】
また、誘引空気吸込口が複数あるため、一つの誘引空気吸込口が塞がれるような使用状態でも、他の誘引空気吸込口から空気を誘引できるため性能を発揮することができる。
【００１９】
また、複数の誘引空気吸込口が吹出口の中心を通る軸から放射状に配置するように備えられたことを特徴とするもので、複数の誘引空気吸込口から誘引された空気は、複数の誘引空気吸込口が軸中心から略放射状に備えられているため、誘引空気混合部の中心部で効率よく混合されるため、誘引空気混合部に設けられた香料保持手段から効率よく香料を誘引空気により気化することができる。
【００２０】
また、吸込口は、吹出口の中心を通る軸に係るように備えられたことを特徴とするもので、吸込口と吹出口の距離が離れるため、誘引空気により気化した香料が誘引空気吹出口から吹出した後、吸込口に再び吸込まれることを防ぐことができ、効率よく香りを送風方向に届けることができる。
【００２１】
また、筐体は、筐体外側の外壁と筐体内側の内壁とを備え、第一風路は、外壁と内壁とによって筐体内に形成され、第二風路は、内壁によって筐体外に形成され、第一風路と第二風路とは、交差するように形成されていることを特徴とするもので、複数の誘引空気吸込口から誘引された空気は、誘引空気混合部の中心部で効率よく混合されるため、誘引空気混合部に設けられた香料保持手段から効率よく香料を誘引空気により気化することができ、香料保持手段と直接接する空気は第二風路によって誘引された空気であるため、香料保持手段と直接接する空気は高圧空気発生手段を備えた第一風路内部を通過せず吹出される。
【００２２】
この構成によって、香料に用いられる有機化合物と高圧空気発生手段である羽根車やモータとが直接接触することによって生じる、羽根車やモータ等の潤滑油に有機化合物が混合することによる潤滑性能の低下を防止することができる。つまり、羽根車を筐体内に内包することで、ユーザーが羽根と接触よることを防止しつつ、香料がモータに直接接触することを防ぐことによりモータの劣化を抑制することができ、長期間安定して送風装置を使用することができるものである。また、誘引空気により香料保持手段から香りが気化により放出することで風の当たらない離れた場所からでも香りの有無、強弱により送風装置の運転／停止を容易に判別することができる。
【００２３】
以下、本発明の実施の形態について図面を参照しながら説明する。
【００２４】
（実施の形態１）
図１に斜視図を、図２に断面Ｘでの断面を示す構成図を、図３に香料保持手段の送風装置への取り付け構成の一例を示す図１の斜視図に示すように、送風装置１１は、球形状の筐体１２が外壁１３と内壁１４の二重壁を備え、空気を取り入れる吸込口１５と、高圧空気を発生するための羽根車１６と羽根車１６を駆動するためのモータ１７で構成された高圧空気発生手段１８と、高圧空気を吹出すための環形状の吹出口１９と、高圧空気を羽根車１６から吹出口１９に導く第一風路２０と、吹出口１９から吹出す空気に誘引されて空気を吸込む複数（本実施形態では６個）の誘引空気吸込口２１と、複数の誘引空気吸込口２１に吸込まれた空気を混合する誘引空気混合部２２と、誘引された空気を吹出す誘引空気吹出口２３と、誘引空気吸込口２１と誘引空気混合部２２と誘引空気吹出口２３を連通する第二風路２４で構成され、第二風路２４内の誘引空気混合部２２に香料保持手段３０を備えるものである。ここで、高圧空気とは大気圧以上の空気を示すものとする。
【００２５】
また、第二風路２４は第一風路２０を貫通壁２５で貫通するように備えられ、第一風路２０は外壁１３と内壁１４と貫通壁２５で構成され、第二風路２４は内壁１４と貫通壁２５で構成され、誘引空気吹出口２３は吹出口１９の内環を構成する内壁１４に囲まれて構成されるものである。
【００２６】
ここで、複数の誘引空気吸込口２１は吹出口１９の軸中心から放射状に備えられており、吸込口１５と吹出口１９が対向する位置に筐体１２の球形状の中心を通る同軸上に備えられた構成となっている。また、本実施形態では筐体１２を球形状で表したが、筐体１２の形状としては特にこれに限定されるものではなく、多面体形状（正多面体や切頂多面体）、円柱形状、多角柱形状、有機的なフォルム形状など自由に選択することができる。
【００２７】
また、吹出口１９の環形状とは円に限定されるものではなく、環になっていれば多角形や曲線で構成された形状であってもよい。また環形状は性能に影響が出ない範囲であればリブなどにより部分的に途切れることがあっても問題はない。
【００２８】
また、図３に示すように香料保持手段３０は、液体保持材２７を保持材受部２８に装着し、液体保持材２７が保持材受部２８から外れることを防止するために固定カバー２９を保持材受部２８に被せるようにして取り付けられる構成となっている。なお、固定カバー２９は、保持材受部２８に対して、ねじによって固定されるようにしてもよい。ここで、液体保持材２７としては例えばコットンなど既存の液体状の香料を吸収し保持できるものが好ましく、香料としては液体状で気化しやすいものが好ましい。
【００２９】
このような構成によれば、羽根車１６が送風装置１１の外部から接触できないよう筐体１２内に内包されているため羽根車１６に接触して怪我をするという不安を抱くことなく安心して使用できる。また、空気は第二風路２４から誘引空気吹出口２３を経て吹出されるため、誘引空気により香料保持手段から香りが気化により放出することで風の当たらない離れた場所からでも香りにより送風装置１１の運転／停止を容易に判別することができる。
【００３０】
また、香料保持手段３０は誘引空気混合部２２に設けられており、複数の誘引空気吸込口２１が軸中心から略放射状に備えられているため、複数の誘引空気吸込口２１から誘引された空気は、誘引空気混合部２２の中心部で効率よく混合され、誘引空気混合部２２で混合される空気により、誘引空気混合部に設けられた香料保持手段から効率よく香料を誘引空気により気化することができる。また、香料保持手段から放出される香りは高圧空気発生手段を備えた第一風路内部を通過せず吹出されるため、香りによるモータの劣化を防ぐことができ、長期間安定して送風装置を使用することができる。
【００３１】
また、誘引空気吸込口２１が複数あるため、一つの誘引空気吸込口２１が塞がれるような使用状態でも、他の誘引空気吸込口２１から空気を誘引できるため性能を発揮することができる。
【００３２】
また、吸込口１５と吹出口１９が対向する位置に同軸上に備えられたことで、吸込口１５と吹出口１９の距離が離れるため、誘引空気により気化した香料が誘引空気吹出口から吹出した後、吸込口に再び吸込まれることを防ぐことができ、効率よく香りを送風方向に届けることができる。
【００３３】
なお、本実施形態では複数の誘引空気吸込口２１の場合を示したが、誘引空気吸込口２１がひとつであっても香料保持手段と直接接する空気は前記第二風路によって誘引された空気であるため、香料による高圧空気発生手段に対する影響を低減できるという同様の効果が得られるものである。
【産業上の利用可能性】
【００３４】
本発明にかかる送風装置は、羽根車を内包することで接触による不安感をなくしつつ、香料がモータに直接接触することを防ぐことによりモータの劣化を抑制可能な送風装置を提供できるため、居室内の床、机上、天井や壁に設置され、直接気流による体感温度の減少や室内の空気の循環に使用される各種送風機器等やアロマディフューザーとして有用である。
【符号の説明】
【００３５】
１１    送風装置
１２    筐体
１３    外壁
１４    内壁
１５    吸込口
１６    羽根車
１７    モータ
１８    高圧空気発生手段
１９    吹出口
２０    第一風路
２１    誘引空気吸込口
２２    誘引空気混合部
２３    誘引空気吹出口
２４    第二風路
２５    貫通壁
２６    基板
２７    液体保持材
２８    保持材受部
２９    固定カバー
３０    香料保持手段
３１    軸
１００    送風機組立体
１０１    環状ノズル
１０２    中央開口部
１１０    内部通路
１１２    口
１１６    基部
１１８    外側ケーシング
１２０    選択ボタン
１２２    モータ
１２４    空気入口
１２６    モータハウジング
１３０    インペラ
１３２    ディフューザ
１３４    入口
１３６    出口
１４４    出口
１４８    ガイド部分
【図１】
2018105166.tif 000003
【図２】
2018105166.tif 000004
【図３】
2018105166.tif 000005
【図４】
2018105166.tif 000006
【図５】
2018105166.tif 000007